(57)【特許請求の範囲】
【請求項１】
装置対装置（Ｄ２Ｄ）通信方法であって、
複数のユーザ機器がセルラーネットワーク内に配置され、
前記方法は、
Ｄ２Ｄ機能をサポートする第1のユーザ機器によって、セルラーネットワークから、前記第1のユーザ機器の識別子、サービス情報、サービスコード、およびアプリケーション層のサービス情報のうちの1つまたは複数を含む前記第1のユーザ機器の情報をブロードキャストするためのリソースを取得するステップと、
前記装置対装置機能をサポートする第2のユーザ機器が、前記第1のユーザ機器の情報を取得し、前記第1のユーザ機器とのマッチングに成功した後に、前記第1のユーザ機器との接続をセットアップするために、セルラーネットワーク内のネットワーク側装置に前記第1のユーザ機器の情報を送信できるように、前記第1のユーザ機器によって、取得されたリソースについての前記第1のユーザ機器の情報をブロードキャストするステップと、
を含む装置対装置（Ｄ２Ｄ）通信方法。
【請求項２】
装置対装置機能をサポートする第1のユーザ機器により、前記第1のユーザ機器の情報をブロードキャストするためのリソースを取得するステップが、
前記第1のユーザ機器により、当該第１のユーザ機器が現在配置されているセル内の前記装置対装置機能をサポートするユーザ機器に当該セルのサービング基地局によって予め割り当てられ、前記ユーザ機器の情報をブロードキャストするのに使用されるリソースを取得するステップを含み、前記リソースが、前記サービング基地局により、ブロードキャストメッセージによってブロードキャストされ、
前記サービング基地局によって予め割り当てられているリソースから、前記第1のユーザ機器により、自動検索または自動測定で、その干渉レベルが所定の閾値より低いリソースを選択するステップを含む請求項1に記載の方法。
【請求項３】
装置対装置機能をサポートする第1のユーザ機器により、前記第1のユーザ機器の情報をブロードキャストするためのリソースを取得するステップが、
サービング基地局によってブロードキャストされたサブリソースから、前記第1のユーザ機器により、前記第1のユーザ機器が現在配置されているセルのサービング基地局によってブロードキャストされた前記サブリソースの干渉レベルおよび前記サブリソースの位置情報によって、その干渉レベルが所定の閾値より低いサブリソースを選択するステップを含み、前記サービング基地局において、当該サービング基地局によって前記セル内の前記装置対装置機能をサポートするユーザ機器に予め割り当てられ、かつ前記ユーザ機器の情報をブロードキャストするのに使用されるリソースを分割した後に、前記サブリソースが取得される請求項1に記載の方法。
【請求項４】
装置対装置機能をサポートする第1のユーザ機器により、前記第1のユーザ機器の情報をブロードキャストするためのリソースを取得するステップが、
前記第1のユーザ機器によって、前記第1のユーザ機器が現在配置されているセルのサービング基地局との接続をセットアップするステップと、前記第1のユーザ機器の情報をブロードキャストするために、前記サービング基地局に前記第1のユーザ機器に対して前記リソースを割り当てさせるステップとを含む請求項1に記載の方法。
【請求項５】
前記第1のユーザ機器によって、前記第1のユーザ機器が現在配置されているセルのサービング基地局との接続をセットアップするステップが、
前記第1のユーザ機器によって、無線リソース制御接続のセットアップメッセージまたは無線リソース制御接続のセットアップ完了メッセージを、前記サービング基地局に送信するステップを含み、前記無線リソース制御接続のセットアップメッセージまたは前記無線リソース制御接続のセットアップ完了メッセージが、前記第1のユーザ機器が前記装置対装置機能をサポートすることと、前記無線リソース制御接続のセットアップメッセージにおけるセットアップ要因の情報要素の値が装置対装置接続もしくは装置対装置コンテンツの発行であることとの両方もしくは一方を示す情報要素を有する請求項4に記載の方法。
【請求項６】
前記第1のユーザ機器が現在配置されているセルの前記サービング基地局との接続をセットアップする処理において、前記第1のユーザ機器によって、前記第1のユーザ機器のサービス情報、または前記第1のユーザ機器の前記サービス情報ならびにアプリケーション層のサービス情報、または前記第1のユーザ機器のサービス情報ならびにサービスコード、または前記第1のユーザ機器のサービス情報、アプリケーション層のサービス情報ならびにサービスコードを、前記サービング基地局または進化型パケットコアネットワークエンティティ装置に送信するステップをさらに含む請求項4または5に記載の方法。
【請求項７】
セルラーネットワーク内に配置され、装置対装置機能をサポートする第1のユーザ機器であって、
前記第1のユーザ機器の識別子、サービス情報、サービスコード、およびアプリケーション層のサービス情報のうちの1つまたは複数を含む前記第1のユーザ機器の情報をブロードキャストするためのリソースをセルラーネットワークから取得するように構成されている取得モジュールと、
セルラーネットワーク内に配置され前記装置対装置機能をサポートする第2のユーザ機器が、前記第1のユーザ機器の情報を取得して、前記第1のユーザ機器とマッチングに成功した後に、前記第1のユーザ機器との接続をセットアップするために、前記第1のユーザ機器の情報をセルラーネットワーク内のネットワーク側装置に送信できるように、前記取得モジュールが取得したリソースについての前記第1のユーザ機器の情報を、ブロードキャストするように構成されているブロードキャストモジュールと、
を備える第1のユーザ機器。
【請求項８】
前記取得モジュールが、
前記第1のユーザ機器が現在配置されているセルのサービング基地局によって前記セル内の前記装置対装置機能をサポートするユーザ機器に予め割り当てられ、前記ユーザ機器の情報をブロードキャストするのに使用されるリソースを取得するように構成されているリソース取得サブモジュールを備え、前記リソースが、前記サービング基地局により、ブロードキャストメッセージによってブロードキャストされ、
前記サービング基地局によって予め割り当てられたリソースから、自動検索または自動測定で、その干渉レベルが所定の閾値より低いリソースを選択するように構成されている第1のリソース選択サブモジュールを備える請求項7に記載の第1のユーザ機器。
【請求項９】
前記取得モジュールが、
サービング基地局によってブロードキャストされたサブリソースから、前記第1のユーザ機器が現在配置されているセルのサービング基地局によってブロードキャストされたサブリソースの干渉レベルおよびサブリソースの位置情報に従って、その干渉レベルが所定の閾値より低いサブリソースを選択するように構成されている第2のリソース選択サブモジュールを備え、前記サービング基地局において、当該サービング基地局によって前記セル内の前記装置対装置機能をサポートするユーザ機器に予め割り当てられ、前記ユーザ機器の情報をブロードキャストするのに使用されるリソースを分割した後に、前記サブリソースが取得される請求項7に記載の第1のユーザ機器。
【請求項１０】
前記取得モジュールが、
前記第1のユーザ機器が現在配置されるセルのサービング基地局との接続をセットアップして、前記第1のユーザ機器の情報をブロードキャストするために、前記サービング基地局に前記第1のユーザ機器に対して前記リソースを割り当てさせるように構成されている接続セットアップサブモジュールを備える請求項7に記載の第1のユーザ機器。
【請求項１１】
前記接続セットアップサブモジュールが、無線リソース制御接続のセットアップメッセージまたは無線リソース制御接続のセットアップ完了メッセージを、前記サービング基地局に送信するように特に構成されており、前記無線リソース制御接続のセットアップメッセージまたは前記無線リソース制御接続のセットアップ完了メッセージが、前記第1のユーザ機器が前記装置対装置機能をサポートすることと、前記無線リソース制御接続のセットアップメッセージにおけるセットアップ要因の情報要素の値が装置対装置接続または装置対装置コンテンツの発行であることとの両方もしくは一方を示す情報要素を有するものである請求項10に記載の第1のユーザ機器。
【請求項１２】
前記接続セットアップサブモジュールが、前記第1のユーザ機器が現在配置されているセルの前記サービング基地局との接続をセットアップした後、共通の接続状態または接続状態で長期不連続受信モードを維持するように構成されている維持モジュールをさらに備える請求項10または11に記載の第1のユーザ機器。
【請求項１３】
前記第1のユーザ機器が前記セルを退出する前に、前記第1のユーザ機器に割り当てられて前記第1のユーザ機器の情報をブロードキャストするのに使用されているリソースの再利用を、前記サービング基地局に通知するように構成されている通知モジュールをさらに備える請求項12に記載の第1のユーザ機器。
【請求項１４】
前記接続セットアップサブモジュールによる、前記第1のユーザ機器が現在配置されているセルの前記サービング基地局との接続をセットアップする処理において、前記第1のユーザ機器のサービス情報、または前記第1のユーザ機器のサービス情報ならびにアプリケーション層のサービス情報、または前記第1のユーザ機器のサービス情報ならびにサービスコード、または前記第1のユーザ機器のサービス情報、アプリケーション層のサービス情報ならびにサービスコードを、前記サービング基地局または進化型パケットコアネットワークエンティティ装置に送信するように構成されている第1の送信モジュールをさらに備える請求項10または11に記載の第1のユーザ機器。
【請求項１５】
前記ブロードキャストモジュールが前記第1のユーザ機器の情報をブロードキャストする前に、前記第1のユーザ機器のアプリケーション層のサービス情報をサービス管理サーバに送信するように構成されている第2の送信モジュールと、
前記第1のユーザ機器に対応するサービス情報と、前記サービス管理サーバによって前記第1のユーザ機器に割り当てられたサービスコードとを受信するように構成されている受信モジュールとをさらに備え、前記サービス情報が、前記サービス管理サーバにより、前記第1のユーザ機器のアプリケーション層のサービス情報に従って見いだされる請求項7から11のいずれか一項に記載の第1のユーザ機器。
【請求項１６】
請求項1から6のいずれか一項に記載の方法を実行させるためのプログラムを記憶したコンピュータ可読記憶媒体。
【発明の詳細な説明】
【技術分野】
【０００１】
関連出願の相互参照
本出願は、参照によってその全体が本明細書に組み込まれている、2011年9月30日に中国特許庁に出願した「CONTENT PUBLISHING METHOD AND USER EQUIPMENT」という名称の中国特許出願第201110297621.7号の優先権を主張するものである。
【０００２】
本発明の実施形態は、通信技術の分野に関し、具体的にはコンテンツを発行する方法およびユーザ機器に関する。
【背景技術】
【０００３】
装置対装置(Device to Device、以下略してD2D)の通信技術は、ローカルの自己組織化(アドホック(ad hoc))ネットワークおよび短距離通信における、サービスおよびデータのアプリケーションを実施し得る。
【０００４】
スペクトル利用を改善するために、D2Dシステムおよびセルラーシステムは同じリソースを共有する。D2DシステムのD2D端末は、セルラーシステムにアクセスするのに、セルラーシステムの時間および時間枠に従う必要がある。D2Dシステムは、情報共有、ゲーム、ソーシャルサービス、モバイル広告などのサービスをサポートし得る。
【０００５】
D2DシステムのD2D端末は、無線リソースを感知する機能を有する。すなわち、D2D端末は、進化型パケットコアネットワーク(Evolved Packet Core、以下略してEPC)または進化型ユニバーサル移動体通信システムの地上無線接続ネットワーク(Evolved Universal Mobile Telecommunications System Terrestrial Radio Access Network、以下、略してE-UTRAN)の制御および割当てを必要とせず、オペレータネットワークの証明および認証なしに能動的に外部環境を感知し、感知された結果によってリソースを能動的に管理し、構成する。このことは、ネットワークの適切なリソース割当ておよび安全な動作にとって不都合である。それに加えて、コンテンツを発行する態様では、マッチングした(matched)端末がサービス品質(Quality of Service、以下略してQoS)の情報をどのように取得するか、また、保証されたサービスがどのように提供され得るか、といったことに関する課題を解決することができない。
【発明の概要】
【発明が解決しようとする課題】
【０００６】
本発明の実施形態は、D2D通信のために、マッチングした端末がQoS情報を取得することができ、また、保証されたサービスが提供され得るように、コンテンツを発行する方法およびユーザ機器を提供するものである。
【課題を解決するための手段】
【０００７】
本発明の一実施形態は、コンテンツを発行する方法を提供するものであり、この方法は、
装置対装置D2D機能をサポートする第1のユーザ機器により、第1のユーザ機器の識別子、サービス情報、サービスコード、およびアプリケーション層のサービス情報のうちの1つもしくそれらの組合せを含む第1のユーザ機器の情報をブロードキャストするためのリソースを取得するステップと、
D2D機能をサポートする第2のユーザ機器が、第1のユーザ機器の情報を取得して、第1のユーザ機器とマッチングに成功した後に、第1のユーザ機器との接続をセットアップするために、ネットワーク側装置に第1のユーザ機器の情報を送ることができるように、第1のユーザ機器によって、取得されたリソースについての第1のユーザ機器の情報をブロードキャストするステップと、を含む。
【０００８】
本発明の一実施形態は、装置対装置D2D機能をサポートする第1のユーザ機器をさらに提供するものであり、第1のユーザ機器は、
第1のユーザ機器の識別子、サービス情報、サービスコード、およびアプリケーション層のサービス情報のうちの1つまたはそれらの組合せを含む第1のユーザ機器の情報をブロードキャストするためのリソースを取得するように構成されている取得モジュールと、
D2D機能をサポートする第2のユーザ機器が、第1のユーザ機器の情報を取得して、第1のユーザ機器とマッチングに成功した後に、第1のユーザ機器との接続をセットアップするために、ネットワーク側装置に第1のユーザ機器の情報を送ることができるように、第1のユーザ機器の情報を、取得モジュールが取得したリソースでブロードキャストするように構成されているブロードキャストモジュールと、を含む。
【０００９】
本発明の実施形態では、D2D機能をサポートする第1のユーザ機器は、第1のユーザ機器の情報をブロードキャストするためのリソースを取得した後、取得したリソースについての第１のユーザ機器の情報であって、第1のユーザ機器の識別子、サービス情報、サービスコード、およびアプリケーション層のサービス情報のうちの1つまたはそれらの組合せを含む第1のユーザ機器の情報をブロードキャストし、次いで、D2D機能をサポートする第2のユーザ機器が、第1のユーザ機器の情報を取得し、第1のユーザ機器とマッチングに成功した後に、第1のユーザ機器との接続をセットアップするために、ネットワーク側装置に第1のユーザ機器の情報を送ってよい。このようにして、マッチングした端末はQoS情報を取得することができ、D2D通信のために保証されたサービスが提供され得る。
【００１０】
本発明の実施形態または従来技術の技術的解決策をより明瞭に説明するために、以下は、本発明の実施形態または従来技術を説明するのに必要な添付図面を簡単に紹介する。明らかに、以下の説明における添付図面は、本発明のいくつかの実施形態を示すのみであり、当業者なら、創造的な努力をしなくても、これらの添付図面からさらに他の図面を導出し得る。
【図面の簡単な説明】
【００１１】
【図１】本発明によるコンテンツを発行する方法の実施形態の流れ図である。
【図２】本発明によるコンテンツを発行する方法の別の実施形態の流れ図である。
【図３】本発明によるコンテンツを発行する方法の別の実施形態の流れ図である。
【図４】本発明によるコンテンツを発行する方法の別の実施形態の流れ図である。
【図５】本発明による第1のユーザ機器の実施形態の概略構造図である。
【図６】本発明による第1のユーザ機器の別の実施形態の概略構造図である。
【図７】本発明による第1のユーザ機器の別の実施形態の概略構造図である。
【発明を実施するための形態】
【００１２】
本発明の実施形態の目的、技術的解決策、および利点をより分かりやすくするために、以下は、本発明の実施形態の技術的解決策を、本発明の実施形態の添付図面を参照しながら、明確に、かつ完全に説明するものである。明らかに、説明される実施形態は、本発明の実施形態のすべてではなく、単なる一部分である。当業者によって、創造的な努力をすることなく、本発明の実施形態に基づいて達成されるすべての他の実施形態は、本発明の保護範囲に入るものとする。
【００１３】
図1は、本発明によるコンテンツを発行する方法の実施形態の流れ図である。図1に示されるように、コンテンツを発行する方法は以下のステップを含んでよい。
【００１４】
ステップ101:D2D機能をサポートする第1のユーザ機器は、識別子、サービス情報、サービスコード、および第1のユーザ機器のアプリケーション層のサービス情報のうちの1つまたはそれらの組合せを含む第1のユーザ機器の情報をブロードキャストするためのリソースを取得する。
【００１５】
識別子は、物理的識別子、非アクセス層識別子(Non-Access Stratum Identifier、以下略してNAS ID)およびアクセス層識別子(Access Stratum Identifier、以下略してAS ID)のうちの1つまたはそれらの組合せであり得る。たとえば、物理的識別子は、国際移動電話加入者識別子(International Mobile Subscriber Identification、以下略してIMSI)などの特定のコード系列でよく、NAS IDは、サービング一時的移動電話加入者識別子(Serving Temporary Mobile Subscriber Identifier、以下略してs-TMSI)または以前のGUTI(old GUTI)でよく、また、AS IDは、セル無線ネットワークのテンポラリ識別子(Cell Radio Network Temporary Identifier、以下略してC-RNTI)またはD-RNTI(すなわちD2Dに用いられる無線ネットワークのテンポラリ識別子(Radio Network Temporary Identifier、以下略してRNTI))でよい。
【００１６】
アプリケーション層のサービス情報は、ユーザが理解し得るサービス情報を含む。ユーザが理解し得るサービス情報には、サービスタイプおよび/またはサービスコンテンツが含まれる。たとえば、サービスコンテンツは、宣伝情報、映画の動画像、またはゲームなどでよい。
【００１７】
サービスコードは、文字、文字列、または数字列でよく、アプリケーション層のサービス情報を表してよい。
【００１８】
サービス情報は、サービスの接続のセットアップ要求メッセージを構成するためにユーザ機器が必要とする非アクセス層(Non-Access Stratum、以下略してNAS)の情報でよく、QoS情報などを含んでよい。
【００１９】
ステップ102:第1のユーザ機器が、第1のユーザ機器の情報を、取得したリソースでブロードキャストし、その結果、D2D機能をサポートする第2のユーザ機器が、第1のユーザ機器の情報を取得して、第1のユーザ機器とマッチングに成功(being matched successfully)した後、第1のユーザ機器との接続をセットアップするために、ネットワーク側装置に第1のユーザ機器の情報を送信する。
【００２０】
具体的には、第1のユーザ機器によって、取得されたリソースについての第1のユーザ機器の情報をブロードキャストするステップは、第1のユーザ機器によって取得されたリソースについての第1のユーザ機器の情報を不連続送信モードで周期的にブロードキャストするステップであってよい。
【００２１】
この実施形態の一実装方式では、D2D機能をサポートする第1のユーザ機器により、第1のユーザ機器の情報をブロードキャストするためのリソースを取得するステップは、第1のユーザ機器が現在配置されているセルのサービング基地局によって当該セル内のD2D機能をサポートするユーザ機器に予め割り当てられ、当該ユーザ機器の情報をブロードキャストするのに使用されるリソースであって、サービング基地局により、ブロードキャストメッセージによってブロードキャストされるリソースを取得するステップと、第1のユーザ機器により、自動検索または自動測定で、その干渉レベルが所定の閾値より低いリソースを選択するステップとであってもよい。任意選択で、サービング基地局による割当て方式は半静的である。
【００２２】
この実施形態の別の実装方式では、D2D機能をサポートする第1のユーザ機器によって、第1のユーザ機器の情報をブロードキャストするためのリソースを取得するステップは、サービング基地局によってブロードキャストされたサブリソースから、第1のユーザ機器により、第1のユーザ機器が現在配置されているセルのサービング基地局によってブロードキャストされたサブリソースの干渉レベルおよびサブリソースの位置情報に従って、その干渉レベルが所定の閾値より低いサブリソースを選択するステップであってよく、サービング基地局によってブロードキャストされたサブリソースは、当該サービング基地局により当該セル内のD2D機能をサポートするユーザ機器に予め割り当てられ、ユーザ機器の情報をブロードキャストするのに使用されるリソースを分割した後に取得される。
【００２３】
この実施形態の別の実装方式では、D2D機能をサポートする第1のユーザ機器によって、第1のユーザ機器の情報をブロードキャストするためのリソースを取得するステップは、第1のユーザ機器によって、第1のユーザ機器が現在配置されているセルのサービング基地局との接続をセットアップするステップと、第1のユーザ機器の情報をブロードキャストするために、サービング基地局に第1のユーザ機器に対してリソースを割り当てさせるステップとであってよい。具体的には、第1のユーザ機器によって、第1のユーザ機器が現在配置されているセルのサービング基地局との接続をセットアップするステップは、第1のユーザ機器がD2D機能をサポートすることおよび/または無線リソース制御接続のセットアップメッセージにおいてセットアップ要因(setup cause)の情報要素の値がD2D接続またはD2Dコンテンツの発行であることを示す情報要素を有する無線リソース制御接続のセットアップメッセージまたは無線リソース制御接続のセットアップ完了メッセージを、第1のユーザ機器によって、サービング基地局に送信するステップであってよい。
【００２４】
さらに、第1のユーザ機器が、第1のユーザ機器が現在配置されているセルのサービング基地局との接続をセットアップした後、第1のユーザ機器は、共通の接続状態(common connected state)または接続状態で(connected state)、長期不連続受信モードを維持してよく、それに加えて、第1のユーザ機器は、セルを退出する前に、第1のユーザ機器に割り当てられて第1のユーザ機器の情報をブロードキャストするのに使用されているリソースの再利用を、サービング基地局に通知してもよい。
【００２５】
この実装方式では、第1のユーザ機器によって、第1のユーザ機器が現在配置されているセルのサービング基地局との接続をセットアップする処理において、第1のユーザ機器は、第1のユーザ機器のサービス情報、または第1のユーザ機器のサービス情報ならびにアプリケーション層のサービス情報、または第1のユーザ機器のサービス情報ならびにサービスコード、または第1のユーザ機器のサービス情報、アプリケーション層のサービス情報ならびにサービスコードを、サービング基地局または進化型パケットコアネットワーク(Evolved Packet Core、以下略してEPC)エンティティ装置にさらに送信してよい。この場合、第1のユーザ機器によってブロードキャストされた情報が、第1のユーザ機器のアプリケーション層のサービス情報および/またはサービスコードを含むが、第1のユーザ機器のサービス情報を含んでいなければ、第2のユーザ機器は、サービング基地局またはEPCエンティティ装置に、第1のユーザ機器のアプリケーション層のサービス情報および/またはサービスコードを送信し、第1のユーザ機器のアプリケーション層のサービス情報および/またはサービスコードに従って、サービング基地局またはEPCエンティティ装置が送信した第1のユーザ機器のサービス情報を受信し、第1のユーザ機器のサービス情報によって非アクセス層のメッセージを生成し、非アクセス層のメッセージをネットワーク側装置に送信して、第1のユーザ機器との接続をセットアップしてよく、あるいは、接続セットアップの要求メッセージが、第1のユーザ機器のアプリケーション層のサービス情報および/またはサービスコードを有し、サービング基地局は、第2のユーザ機器が送信した接続セットアップの要求メッセージを受信してから、第1のユーザ機器のサービス情報を、ローカルで、または接続セットアップの要求メッセージに含まれた第1のユーザ機器のアプリケーション層のサービス情報および/またはサービスコードに従って、EPCエンティティ装置から取得し、第2のユーザ機器が送信した接続セットアップの要求メッセージに対して第1のユーザ機器のサービス情報を追加し、第１のユーザ機器のサービス情報が追加された追加された後、接続セットアップの要求メッセージをコアネットワーク装置に送信することができるように、第2のユーザ機器
は、サービング基地局に接続セットアップの要求メッセージを送信してもよい。
【００２６】
この実施形態の一実装方式では、第1のユーザ機器の情報を、第1のユーザ機器との接続をセットアップするネットワーク側装置に送るステップは、第1のユーザ機器によってブロードキャストされた情報が第1のユーザ機器のサービス情報を含むとき、第2のユーザ機器により、第1のユーザ機器のサービス情報に従って非アクセス層のメッセージを生成するステップと、非アクセス層のメッセージをネットワーク側装置に送って、第1のユーザ機器との接続をセットアップするステップとであってよい。
【００２７】
この実施形態の別の実装方式では、第1のユーザ機器は取得したリソースについての第1のユーザ機器の情報を、ブロードキャストする前に、第1のユーザ機器のアプリケーション層のサービス情報をサービス管理サーバにさらに送信して、第1のユーザ機器に対応するサービス情報と、サービス管理サーバによって第1のユーザ機器に割り当てられたサービスコードとを受信してよく、サービス情報は、サービス管理サーバにより、第1のユーザ機器のアプリケーション層のサービス情報に応じて見いだされる。この場合、第1のユーザ機器の情報を、第1のユーザ機器との接続をセットアップするネットワーク側装置に送信するステップは、第1のユーザ機器によってブロードキャストされた情報が、第1のユーザ機器のアプリケーション層のサービス情報および/またはサービスコードを含むが、第1のユーザ機器のサービス情報を含まないとき、第2のユーザ機器は、第1のユーザ機器のアプリケーション層のサービス情報および/またはサービスコードをサービス管理サーバに送信し、第1のユーザ機器のアプリケーション層のサービス情報および/またはサービスコードに従って、サービス管理サーバが送信した第1のユーザ機器のサービス情報を受信し、第1のユーザ機器のサービス情報に従って非アクセス層のメッセージを生成し、非アクセス層のメッセージをネットワーク側装置に送信して、第1のユーザ機器との接続をセットアップするステップであってよい。
【００２８】
この実施形態では、第1のユーザ機器が現在配置されているセルには、第1のユーザ機器がハンドオーバされる(handed over)ターゲットセルまたは第1のユーザ機器の電源が投入されたセルが含まれる。
【００２９】
上記の実施形態では、D2D機能をサポートする第1のユーザ機器は、第1のユーザ機器の識別子、サービス情報、サービスコード、およびアプリケーション層のサービス情報のうちの1つまたはそれらの組合せを含む第1のユーザ機器の情報をブロードキャストするためのリソースを取得してから、第1のユーザ機器の情報を、取得したリソースでブロードキャストし、次いで、D2D機能をサポートする第2のユーザ機器が、第1のユーザ機器の情報を取得して、第1のユーザ機器とマッチングに成功した後に、第1のユーザ機器との接続をセットアップするネットワーク側装置に第1のユーザ機器の情報を送信してよい。このようにして、マッチングした(matched)端末はQoS情報を取得することができ、D2D通信のために保証されたサービスが提供され得る。
【００３０】
図2は、本発明によるコンテンツを発行する方法の別の実施形態の流れ図である。図2に示されるように、コンテンツを発行する方法は以下のステップを含んでよい。
【００３１】
ステップ201:基地局は、当該基地局が配置されているセルにおいて、D2D機能をサポートするすべてのUEに対して予め、UEの情報をブロードキャストするために使用されるリソースを割り当て、ブロードキャストメッセージによってリソースをブロードキャストする。
【００３２】
この実施形態では、基地局は進化型NodeB(evolved NodeB、以下略してeNB)でよい。明確に、本発明の実施形態はこれに限定されるわけではない。本発明の実施形態は、基地局の形態を限定するものではない。情報は、D2D機能をサポートするUEの識別子、サービス情報、サービスコード、およびアプリケーション層のサービス情報のうちの1つまたはそれらの組合せを含む。
【００３３】
識別子は、物理的識別子、NAS ID、およびAS IDのうちの1つまたはそれらの組合せでよい。たとえば、物理的識別子はIMSIなどの特定のコード系列でよく、NAS IDはs-TMSIまたは以前のGUTIでよく、AS IDはC-RNTIまたはD-RNTI(すなわちD2D用に使用されるRNTI)でよい。
【００３４】
アプリケーション層のサービス情報は、ユーザが理解し得るサービス情報を含む。ユーザが理解し得るサービス情報には、サービスコンテンツは、宣伝情報、映画の動画像、またはゲームなどでよい。
【００３５】
サービスコードは、文字、文字列、または数字列でよく、アプリケーション層のサービス情報を表してよい。
【００３６】
サービス情報は、サービスの接続のセットアップ要求メッセージを構成するためにUEが必要とするNASの情報でよく、QoS情報などを含んでよい。
【００３７】
ステップ202:D2D機能をサポートするUE1が、基地局が配置されているセルにハンドオーバされたとき、または基地局が配置されているセルで電源が投入されたとき、UE1は基地局が送信したブロードキャストメッセージによってリソースを取得する。
【００３８】
この実施形態では、D2D機能をサポートするUE1が、基地局が配置されているセルにハンドオーバされたとき、または基地局が配置されているセルで電源が投入されたとき、UE1は基地局が送信したブロードキャストメッセージを受け取ってよい。UE1は、ブロードキャストメッセージによって、基地局が配置されているセル内のすべてのD2DのUEに対して基地局によって予め割り当てられているリソースを取得してよく、リソースは、UEの情報をブロードキャストするのに使用される。
【００３９】
ステップ203:UE1は、基地局によって予め割り当てられたリソースから、自動検索または自動測定で、その干渉レベルが所定の閾値より低いリソースを選択し、それによって、D2D機能をサポートする他のUEからの干渉またはD2D機能をサポートする他のUEに対する干渉を回避する。
【００４０】
この場合、Uuインターフェース上では、無線リソース制御アイドル状態(Radio Resource Control Idle state、以下略してRRC_Idle state)が、UE1と基地局との間で維持される。
【００４１】
ステップ204:UE1は、選択されたリソースについてのUE1の情報をブロードキャストする。
【００４２】
この実施形態では、UE1によってブロードキャストされるUE1の情報は、本明細書でさらに説明しない。詳細については、ステップ201の例が参照され得る。
【００４３】
具体的には、D2D機能をサポートするUEは、不連続受信(Discontinuous Receive、以下略してDRX)機能および不連続送信(Discontinuous Transmission、DTX)機能を有する。
【００４４】
したがって、この実施形態では、UE1がUE1の情報をブロードキャストする方式は、DTX方式でよく、選択されたリソースについてのUE1の情報を不連続な送信サイクル(DTXサイクル)でブロードキャストする。
【００４５】
この実施形態では、UE1がUE1の情報をブロードキャストした後、UE1が配置されているセル内の、UE1以外のD2D機能をサポートするUEが、UE1を検出する機会を得る。
【００４６】
ステップ205:UE1が配置されているセル内のD2D機能をサポートするUE2が、UE2以外のD2D機能をサポートするUEを、検出技術を用いることにより、または検索ならびに測定することにより、セル内に、マッチングされる(matched)UE1の候補(possible)が存在することを知ったとき、マッチング処理が開始される。
【００４７】
具体的には、UE2は、UE2が配置されているセル内のUE2以外のD2D機能をサポートするUEによってブロードキャストされた情報であって、ある特定のリソースについての情報を求めて、DRX方式で検索して、マッチングされるUE1の候補の存在を知った後に、UE1がブロードキャストしたUE1の情報を受信してよく、または、UE2は、UE1がブロードキャストしたUE1の情報を、たとえばイベントトリガ方式で受け取ってもよく、ユーザが特定の要求を有するとき、マンマシンインターフェースによって受信動作が起動され、または、アプリケーション層は、ユーザによって以前にカスタマイズされた要求プロファイル(プロファイル)に従って受信動作が起動される。もちろん、UE2は、DRX方式とイベントトリガ方式の組合せを用いることにより、UE1がブロードキャストしたUE1の情報を受け取ってよい。
【００４８】
ステップ206:UE1がUE2とマッチングに成功された後、UE2は、UE1との接続をセットアップするために、ネットワーク側装置にUE1の情報を送信する。
【００４９】
具体的には、UE1がブロードキャストしたUE1の情報がUE1のサービス情報を含むとき、この実施形態の一実装方式では、UE2は、UE1との接続をセットアップするために、UE1のサービス情報によってNASメッセージを生成して、そのNASメッセージをネットワーク側装置に送信してよい。
【００５０】
この実施形態の別の実装方式では、UE1は、ステップ204の前に、サービス管理サーバにUE1のアプリケーション層のサービス情報を送信し、UE1に対応するサービス情報と、サービス管理サーバによってUE1に割り当てられたサービスコードとを受信してよく、サービス情報は、サービス管理サーバによって、UE1のアプリケーション層のサービス情報に従って見いだされる。UE1によってブロードキャストされた情報が、UE1のアプリケーション層のサービス情報および/またはサービスコードを含むが、UE1のサービス情報は含まないとき、UE2は、UE1のアプリケーション層のサービス情報および/またはサービスコードをサービス管理サーバに送信し、UE1のアプリケーション層のサービス情報および/またはサービスコードに従って、サービス管理サーバが送信したUE1のサービス情報を受信し、UE1のサービス情報に従ってNASメッセージを生成し、NASメッセージをネットワーク側装置に送信して、UE1との接続をセットアップしてよい。
【００５１】
上記の実施形態によれば、マッチングした端末はQoS情報を取得することができ、D2D通信のために保証されたサービスが提供され得る。
【００５２】
図3は、本発明によるコンテンツを発行する方法の別の実施形態の流れ図である。図3に示されるように、コンテンツを発行する方法は以下のステップを含んでよい。
【００５３】
ステップ301:基地局は、基地局が配置されているセル内のD2D機能をサポートするUEに対して基地局によって予め割り当てられ、UEの情報をブロードキャストするのに使用されるリソースを、サブリソースに分割する。
【００５４】
この実施形態では、基地局はeNBでよい。もちろん、本発明の実施形態はこれに限定されるわけではない。本発明の実施形態は、基地局の形態を限定するものではない。情報は、D2D機能をサポートするUEの識別子、サービス情報、サービスコード、およびアプリケーション層のサービス情報のうちの1つまたはそれらの組合せを含む。
【００５５】
識別子は、物理的識別子、NAS ID、およびAS IDのうちの1つまたはそれらの組合せでよい。たとえば、物理的識別子はIMSIなどの特定のコード系列でよく、NAS IDはs-TMSIまたは以前のGUTI(old GUTI)でよく、AS IDはC-RNTIまたはD-RNTI(すなわちD2D用に使用されるRNTI)でよい。
【００５６】
アプリケーション層のサービス情報は、ユーザが理解し得るサービス情報を含む。ユーザが理解し得るサービス情報には、サービスタイプおよび/またはサービスコンテンツが含まれる。たとえば、サービスコンテンツは、宣伝情報、映画の動画像またはゲームなどでよい。
【００５７】
サービスコードは、文字、文字列、または数字列でよく、アプリケーション層のサービス情報を表してよい。
【００５８】
サービス情報は、サービスの接続のセットアップ要求メッセージを構成するためにUEが必要とするNASの情報でよく、QoS情報などを含んでよい。
【００５９】
具体的には、基地局は、リソースを、時間領域、周波数領域、および/または空間領域の粒度(granularity)によってサブリソースに分割してよい。
【００６０】
ステップ302:基地局は、サブリソースの干渉レベルおよびサブリソースの位置情報を、ブロードキャストメッセージによってブロードキャストする。
【００６１】
この実施形態では、基地局は、基地局が配置されているセル内のUEによって測定されて報告された情報によって、サブリソースの干渉レベルおよび位置情報を更新してよい。
【００６２】
ステップ303:D2D機能をサポートするUE1が、基地局が配置されているセルにハンドオーバされたとき、または基地局が配置されているセル上で電源が投入されたとき、UE1は、サブリソースから、干渉レベルが所定の閾値より低いサブリソースを選択する。
【００６３】
具体的には、D2D機能をサポートするUE1が、基地局が配置されているセルにハンドオーバされたとき、または基地局が配置されているセル上で電源が投入されたとき、UE1は、基地局が送信したブロードキャストメッセージを受信してよく、さらに、UE1は、ブロードキャストメッセージにおけるサブリソースの干渉レベルおよび位置情報を読み取ってよい。次いで、UE1は、ブロードキャストメッセージの中のサブリソースの干渉レベルおよび位置情報によって、干渉レベルが所定の閾値より低いサブリソースを選択してよく、それによって、D2D機能をサポートする他のUEからの干渉またはD2D機能をサポートする他のUEに対する干渉を回避する。たとえば、基地局によって分割されたサブリソースの干渉レベルが、高レベル、中レベル、および低レベルの3つのレベルを含むと仮定すると、UE1は、中レベルまたは低レベルの干渉レベルのサブリソースを選択、すなわち、その干渉レベルが高レベルより低いサブリソースを選択する。
【００６４】
この場合、Uuインターフェース上では、無線リソース制御アイドル状態(Radio Resource Control Idle state、以下略してRRC_Idle state)が、UE1と基地局との間で維持される。
【００６５】
ステップ304からステップ306は、ステップ204からステップ206と同一であるため、本明細書ではさらに説明しない。
【００６６】
上記の実施形態によれば、マッチングした端末はQoS情報を取得することができ、D2D通信のために保証されたサービスが提供され得る。
【００６７】
図4は、本発明によるコンテンツを発行する方法の別の実施形態の流れ図である。図4に示されるように、コンテンツを発行する方法は以下のステップを含んでよい。
【００６８】
ステップ401:ネットワークとの接続をセットアップする処理では、D2D機能をサポートするUE1は、UE1のアプリケーション層のサービス情報をサービス管理サーバに送信する。
【００６９】
具体的には、D2D機能をサポートするUE1がサービスを提供するとき、UE1は、ネットワークとの接続をセットアップする処理で、UE1のアプリケーション層のサービス情報をサービス管理サーバに送信する。
【００７０】
アプリケーション層のサービス情報は、ユーザが理解し得るサービス情報を含む。ユーザが理解し得るサービス情報には、サービスタイプおよび/またはサービスコンテンツが含まれる。たとえば、サービスコンテンツは、宣伝情報、映画の動画像、またはゲームなどでよい。
【００７１】
ステップ402:サービス管理サーバは、UE1が送信したアプリケーション層のサービス情報に従って、UE1に対応するサービス情報を見いだし、UE1にサービスコードを割り当て、UE1に対応するサービス情報およびUE1に割り当てられたサービスコードをUE1に送信する。
【００７２】
サービス情報は、サービスの接続セットアップの要求メッセージを構成するためにUE1が必要とするNASの情報でよく、QoS情報などを含んでよい。
【００７３】
この実施形態では、ステップ401および402は任意選択のステップである。
【００７４】
ステップ403:UE1は、あるセルにハンドオーバされるかまたはセル内で電源が投入されたとき、セルのサービング基地局との接続をセットアップし、UE1の情報をブロードキャストするために、サービング基地局を起動してリソースをUE1に割り当てさせる。
【００７５】
この実施形態では、サービング基地局はeNBでよい。もちろん、本発明の実施形態はこれに限定されるわけではない。本発明の実施形態は、サービング基地局の形態を限定するものではない。
【００７６】
具体的には、UE1は、そのセルにハンドオーバされるかまたはセル内で電源が投入されたとき、UE1の実サービスの有無にかかわらず、セルのサービング基地局との接続をセットアップして、サービング基地局から、UE1の情報をブロードキャストするためのリソースを取得してよい。特定の実装形態では、UE1による、セルのサービング基地局との接続をセットアップするステップは、UE1によって、サービング基地局に対して、UE1がD2D機能をサポートすること、および/またはRRC接続のセットアップメッセージの中のセットアップ要因の情報要素の値がD2D接続またはD2Dコンテンツの発行であることを示す情報要素を有するRRC接続のセットアップメッセージまたはRRC接続のセットアップ完了メッセージを送信するステップであってよい。
【００７７】
ステップ404:UE1は、サービング基地局との接続をセットアップする処理では、UE1のサービス情報、またはUE1のサービス情報ならびにアプリケーション層のサービス情報、またはUE1のサービス情報ならびにサービスコード、またはサービス情報、UE1のアプリケーション層のサービス情報ならびにサービスコードを、サービング基地局または発展型パケットコアネットワーク(Evolved Packet Core、以下略してEPC)エンティティ装置に送信する。
【００７８】
この実施形態では、ステップ404は任意選択のステップである。
【００７９】
ステップ405:UE1は、Uuインターフェース上で、サービング基地局との接続をセットアップした後、共通の接続状態または接続状態で長期DRXモード(long DRX mode)を維持する。
【００８０】
それに加えて、この実施形態では、UE1は、サービング基地局が配置されているセルを退出するとき、UE1に割り当てられ、UE1の情報をブロードキャストするのに使用されているリソースの再利用を、サービング基地局に通知する必要がある。
【００８１】
ステップ406:UE1は、UE1の情報を、UE1にサービング基地局によって割り当てられ、UE1の情報をブロードキャストするのに使用されるリソースでブロードキャストする。
【００８２】
この実施形態では、UE1がブロードキャストするUE1の情報は、UE1の識別子、サービス情報、サービスコード、およびアプリケーション層のサービス情報のうちの1つまたはそれらの組合せを含んでよい。
【００８３】
識別子は、物理的識別子、NAS ID、およびAS IDのうちの1つまたはそれらの組合せでよい。たとえば、物理的識別子はIMSIなどの特定のコード系列でよく、NAS IDはs-TMSIまたは以前のGUTIでよく、AS IDはC-RNTIまたはD-RNTI(すなわちD2D用に使用されるRNTI)でよい。
【００８４】
アプリケーション層のサービス情報は、ユーザが理解し得るサービス情報を含む。ユーザが理解し得るサービス情報には、サービスタイプおよび/またはサービスコンテンツが含まれる。たとえば、サービスコンテンツは、宣伝情報、映画の動画像、またはゲームなどでよい。
【００８５】
サービスコードは、文字、文字列、または数字列でよく、アプリケーション層のサービス情報を表してよい。
【００８６】
サービス情報は、サービスの接続セットアップの要求メッセージを構成するためにUE1が必要とするNASの情報でよく、QoS情報などを含んでよい。
【００８７】
具体的には、D2D機能をサポートするUEは、DRXおよびDTXの機能を有する。
【００８８】
したがって、この実施形態では、UE1がUE1の情報をブロードキャストする方式は、DTX方式でよく、UE1にサービング基地局によって割り当てられたリソースについてのUE1の情報を不連続な送信サイクル(DTX-Cycle)でブロードキャストする。
【００８９】
この実施形態では、UE1がUE1の情報をブロードキャストした後、UE1が配置されているセル内の、UE1以外のD2D機能をサポートするUEは、UE1を検出する機会を得る。
【００９０】
ステップ407:UE1が配置されているセル内のD2D機能をサポートするUE2が、UE2以外のD2D機能をサポートするUEを、検出技術を用いることにより、または検索ならびに測定することにより、セル内にマッチングされるUE1の候補が存在することを知ったとき、マッチング処理が開始される。
【００９１】
具体的には、UE2は、UE2が配置されているセル内のUE2以外のD2D機能をサポートするUEによってブロードキャストされた情報を求めて、DRX方式で、いくつかの特定のリソース上で検索して、マッチングされるUE1の候補の存在を知った後に、UE1がブロードキャストしたUE1の情報を受信してよく、または、UE2は、UE1がブロードキャストしたUE1の情報を、たとえばイベントトリガ方式で受信してもよく、ユーザが特定の要求を有するとき、マンマシンインターフェースによって受信動作が起動され、または、アプリケーション層は、ユーザによって以前にカスタマイズされた要求プロファイル(プロファイル)に従って受信動作を起動する。もちろん、UE2は、DRX方式とイベントトリガ方式の組合せを用いることにより、UE1がブロードキャストしたUE1の情報受け取ってよい。
【００９２】
ステップ408:UE1がUE2とマッチングに成功した後、UE2は、UE1との接続をセットアップするために、ネットワーク側装置にUE1の情報を送信する。
【００９３】
具体的には、UE1がブロードキャストしたUE1の情報がUE1のサービス情報を含むとき、この実施形態の一実装方式では、UE2は、UE1との接続をセットアップするために、UE1のサービス情報に従ってNASメッセージを生成して、これをネットワーク側装置に送信してよい。
【００９４】
この実施形態の別の実装方式では、ステップ401およびステップ402が存在する場合、UE1によってブロードキャストされた情報が、UE1のアプリケーション層のサービス情報および/またはサービスコードを含むが、UE1のサービス情報は含まないとき、UE2は、UE1のアプリケーション層のサービス情報および/またはサービスコードをサービス管理サーバに送信し、UE1のアプリケーション層のサービス情報および/またはサービスコードによって、サービス管理サーバが送信したUE1のサービス情報を受信し、UE1のサービス情報に従ってNASメッセージを生成し、NASメッセージをネットワーク側装置に送信して、UE1との接続をセットアップしてよい。
【００９５】
この実施形態の別の実装方式では、ステップ404が存在する場合、UE1によってブロードキャストされた情報が、UE1のアプリケーション層のサービス情報および/またはサービスコードを含むが、UE1のサービス情報は含まないとき、UE2は、サービング基地局またはEPCエンティティ装置に、UE1のアプリケーション層のサービス情報および/またはサービスコードを送信し、UE1のアプリケーション層のサービス情報および/またはサービスコードに従って、サービング基地局またはEPCエンティティ装置が送信したUE1のサービス情報を受信し、UE1のサービス情報によってNASメッセージを生成し、NASメッセージをネットワーク側装置に送信して、UE1との接続をセットアップするか、または
サービング基地局に接続セットアップの要求メッセージを送ってもよい。接続セットアップの要求メッセージが、UE1のアプリケーション層のサービス情報および/またはサービスコードを有し、サービング基地局は、UE2が送信した接続セットアップの要求メッセージを受信した後、UE1のサービス情報を、ローカルで、または接続セットアップの要求メッセージに含まれたUE1のアプリケーション層のサービス情報および/またはサービスコードに従って、EPCエンティティ装置から取得し、UE2が送信した接続セットアップの要求メッセージに対してUE1のサービス情報を追加し、UE1のサービス情報が追加された後、接続セットアップの要求メッセージをコアネットワーク装置に送信する。
【００９６】
上記の実施形態によれば、マッチングした端末はQoS情報を取得することができ、D2D通信のために保証されたサービスが提供され得る。
【００９７】
当業者なら、実施形態による方法のステップのすべてまたは一部分が、プログラムの命令のもとでハードウェアによって実施され得ることを理解することができる。プログラムはコンピュータ可読記憶媒体に記憶されてよく、プログラムが実行されたとき、実施形態による方法のステップが実施される。記憶媒体は、ROM、RAM、磁気ディスク、または光ディスクなどのプログラムコードを記憶することができる任意の媒体であってよい。
【００９８】
図5は、本発明による第1のユーザ機器の一実施形態の概略構造図である。この実施形態の第1のユーザ機器は、図1に示された本発明の実施形態の手順を実施してよく、第1のユーザ機器はD2D機能をサポートする。図5に示されるように、第1のユーザ機器は取得モジュール51およびブロードキャストモジュール52を含む。
【００９９】
取得モジュール51は、第1のユーザ機器の情報をブロードキャストするためのリソースを取得するように構成されており、第1のユーザ機器の情報には、第1のユーザ機器の識別子、サービス情報、サービスコード、およびアプリケーション層のサービス情報のうちの1つまたはそれらの組合せが含まれる。
【０１００】
識別子は、物理的識別子、NAS ID、およびAS IDのうちの1つまたはそれらの組合せでよい。たとえば、物理的識別子はIMSIなどの特定のコード系列でよく、NAS IDはs-TMSIまたは以前のGUTIでよく、AS IDはC-RNTIまたはD-RNTI(すなわちD2Dに使用されるRNTI)でよい。
【０１０１】
アプリケーション層のサービス情報は、ユーザが理解し得るサービス情報を含む。ユーザが理解し得るサービス情報には、サービスタイプおよび/またはサービスコンテンツが含まれる。たとえば、サービスコンテンツは、宣伝情報、映画の動画像、またはゲームなどでよい。
【０１０２】
サービスコードは、文字、文字列、または数字列でよく、アプリケーション層のサービス情報を表してよい。
【０１０３】
サービス情報は、サービスの接続セットアップの要求メッセージを構成するために第1のユーザ機器が必要とするNASの情報でよく、QoS情報などを含んでよい。
【０１０４】
ブロードキャストモジュール52は、取得モジュール51が取得したリソースについての第1のユーザ機器の情報を、ブロードキャストするように構成されている。そのため、D2D機能をサポートする第2のユーザ機器が、第1のユーザ機器の情報を取得し、第1のユーザ機器とマッチングに成功した後に、第1のユーザ機器との接続をセットアップするためにネットワーク側装置に第1のユーザ機器の情報を送信する。具体的には、ブロードキャストモジュール52は、第1のユーザ機器の情報を、取得されたリソースで、DTXモードで周期的にブロードキャストしてよい。
【０１０５】
第1のユーザ機器では、取得モジュール51が、第1のユーザ機器の情報をブロードキャストするためのリソースを取得した後、ブロードキャストモジュール52は、取得モジュール51が取得したリソースについての第1のユーザ機器の情報をブロードキャストする。第1のユーザ機器の情報は、第1のユーザ機器の識別子、サービス情報、サービスコード、およびアプリケーション層のサービス情報のうちの1つまたはそれらの組合せを含む。次いで、D2D機能をサポートする第2のユーザ機器が、第1のユーザ機器の情報を取得して、第1のユーザ機器とマッチングに成功した後に、第1のユーザ機器との接続をセットアップするために、ネットワーク側装置に第1のユーザ機器の情報を送信する。このようにして、マッチングした端末はQoS情報を取得することができ、D2D通信のために保証されたサービスが提供され得る。
【０１０６】
図6は、本発明による第1のユーザ機器の別の実施形態の概略構造図である。図6に示された第1のユーザ機器では、図5に示された第1のユーザ機器とは異なって、取得モジュール51は、サブモジュール511を取得するリソースならびにサブモジュール512を選択する第1のリソースを含んでよく、あるいは、取得モジュール51は、サブモジュール513を選択する第2のリソースを含んでよく、あるいは、取得モジュール51は、サブモジュール511を取得するリソース、サブモジュール512を選択する第1のリソースならびにサブモジュール513を選択する第2のリソースを含んでよい。
【０１０７】
サブモジュール511を取得するリソースは、第1のユーザ機器が現在配置されているセルのサービング基地局によって予め当該セル内のD2D機能をサポートするユーザ機器に割り当てられ、ユーザ機器の情報をブロードキャストするのに使用されるリソースを取得するように構成されており、リソースは、サービング基地局により、ブロードキャストメッセージによってブロードキャストされる。
【０１０８】
第1のリソース選択サブモジュール512は、サービング基地局によって予め割り当てられたリソースから、自動検索または自動測定で、その干渉レベルが所定の閾値より低いリソースを選択するように構成されている。
【０１０９】
第2のリソース選択サブモジュール513は、サービング基地局によってブロードキャストされたサブリソースから、第1のユーザ機器が現在配置されているセルのサービング基地局によってブロードキャストされたサブリソースの干渉レベルおよびサブリソースの位置情報に従って、その干渉レベルが所定の閾値より低いサブリソースを選択するように構成されており、サブリソースは、サービング基地局によってセル内のD2D機能をサポートするユーザ機器に予め割り当てられ、ユーザ機器の情報をブロードキャストするのに使用されるリソースをサービング基地局が分割した後に取得される。
【０１１０】
この実施形態では、第1のユーザ機器は、
ブロードキャストモジュール52が第1のユーザ機器の情報をブロードキャストする前に、第1のユーザ機器のアプリケーション層のサービス情報をサービス管理サーバに送信するように構成されている第2の送信モジュール53と、
第1のユーザ機器に対応するサービス情報と、サービス管理サーバによって第1のユーザ機器に割り当てられたサービスコードとを受信するように構成されている受信モジュール54とをさらに含んでもよく、サービス情報が、サービス管理サーバにより、第1のユーザ機器のアプリケーション層のサービス情報に従って見いだされる。
【０１１１】
第1のユーザ機器で、マッチングした端末はQoS情報を取得することができ、D2D通信のために保証されたサービスが提供され得る。
【０１１２】
図7は、本発明による第1のユーザ機器の別の実施形態の概略構造図である。図6に示された第1のユーザ機器とは異なって、図7に示された第1のユーザ機器の取得モジュールは、
第1のユーザ機器が現在配置されているセルのサービング基地局との接続をセットアップして、第1のユーザ機器の情報をブロードキャストするために、サービング基地局に第1のユーザ機器に対してリソースを割り当てさせるように構成されている接続セットアップサブモジュール514を含んでよい。具体的には、接続セットアップサブモジュール514は、サービング基地局に対して、第1のユーザ機器がD2D機能をサポートすること、および/または無線リソース制御接続のセットアップメッセージの中のセットアップ要因の情報要素の値がD2D接続もしくはD2Dコンテンツの発行であることを示す情報要素を有するRRC接続のセットアップメッセージを送信してよい。
【０１１３】
さらに、この実施形態では、第1のユーザ機器は、
接続セットアップサブモジュール514が、第1のユーザ機器が現在配置されているセルのサービング基地局との接続をセットアップした後、共通の接続状態または接続状態において長期不連続受信モードを維持するように構成されている維持モジュール55と、
第1のユーザ機器がセルを退出する前に、第1のユーザ機器に割り当てられて第1のユーザ機器の情報をブロードキャストするのに使用されているリソースの再利用を、サービング基地局に通知するように構成されている通知モジュールと、
接続セットアップサブモジュール514による、第1のユーザ機器が現在配置されているセルのサービング基地局との接続をセットアップする処理において、第1のユーザ機器のサービス情報、または第1のユーザ機器のサービス情報ならびにアプリケーション層のサービス情報、または第1のユーザ機器のサービス情報ならびにサービスコード、または第1のユーザ機器のサービス情報、アプリケーション層のサービス情報ならびにサービスコードを、サービング基地局またはEPCエンティティ装置に送信するように構成されている第1の送信モジュール57とをさらに含んでよい。
【０１１４】
第1のユーザ機器で、マッチングした端末はQoS情報を取得することができ、D2D通信のために保証されたサービスが提供され得る。
【０１１５】
添付図面は単に本発明の例示的実施形態を示すものであり、添付図面におけるモジュールまたは手順は本発明の実装にとって必須ではないことが、当業者には理解される。
【０１１６】
これらの実施形態における装置のモジュールは、これらの実施形態で説明された装置、またはこれらの実施形態の装置とは別の1つまたは複数の装置の中に配置され得ることが当業者には理解される。上記の実施形態によるモジュールは、1つのモジュールに組み合わされてよく、または複数のサブモジュールに分割されてもよい。
【０１１７】
最後に、前述の実施形態は、本発明を限定するのではなく、単に本発明の技術的解決策を説明するように意図されていることに留意されたい。本発明は、前述の実施形態を参照しながら詳細に説明されているが、当業者なら、このような修正または置換によって、技術的解決策に対応する本質が本発明の実施形態の技術的解決策の精神および範囲から逸脱しない限り、前述の実施形態において説明された技術的解決策に対する修正形態またはそのいくつかの技術的特徴に対する等価な置換をさらに行うことができることを理解するはずである。
【符号の説明】
【０１１８】
51  取得モジュール
52  ブロードキャストモジュール
53  第2の送信モジュール
54  受信モジュール
55  維持モジュール
56  通知モジュール
57  第1の送信モジュール
511  リソース取得サブモジュール
512  第1のリソース選択サブモジュール
513  第2のリソース選択サブモジュール
514  接続セットアップサブモジュール
【図１】
0005883146.tif 000002
【図２】
0005883146.tif 000003
【図３】
0005883146.tif 000004
【図４】
0005883146.tif 000005
【図５】
0005883146.tif 000006
【図６】
0005883146.tif 000007
【図７】
0005883146.tif 000008